(57)【要約】【課題】消費電力を低減させるような所定の運転を可能とする床暖房装置を提供する。【解決手段】床暖房装置１は、電気が供給されて発熱するヒータパネル２と、操作を受ける操作部３１と、ヒータパネル２の駆動及び駆動の停止を制御する制御部３２を備え、制御部３２は、操作部３１での操作で設定される第１の運転時間と第２の運転時間で、重複する時間帯があると判断すると、設定された運転時間に重複する時間帯があることを通知して、使用者に設定の見直しを促す。【選択図】    図１
2014167357.tif 000002
【特許請求の範囲】
【請求項１】
発熱手段と、
操作を受ける操作手段と、
前記操作手段での操作で、前記発熱手段の駆動及び駆動の停止を制御する制御手段とを備え、
前記制御手段は、前記操作手段での操作で実行する運転に対して、消費電力を低減させるような所定の運転を可能とする消費電力低減設定機能を有する
ことを特徴とする設備機器。
【請求項２】
前記制御手段は、前記操作手段での操作で設定される一の運転時間と他の運転時間で、重複する時間の有無を判断して、消費電力を低減させるような所定の運転を可能とする
ことを特徴とする請求項１に記載の設備機器。
【請求項３】
前記制御手段は、前記操作手段での操作で設定される一の運転時間と他の運転時間で、重複する時間が有ると判断すると、設定された運転時間に重複する時間があることを通知する
ことを特徴とする請求項２に記載の設備機器。
【請求項４】
前記制御手段は、前記操作手段での操作で設定される一の運転時間と他の運転時間で、重複する時間が有ると判断すると、重複する運転時間の設定を制約する
ことを特徴とする請求項２に記載の設備機器。
【請求項５】
前記制御手段は、前記操作手段での操作で設定される運転時間が、予め設定される連続運転時間を超過するか否かを判断して、消費電力を低減させるような所定の運転を可能とする
ことを特徴とする請求項１に記載の設備機器。
【請求項６】
前記制御手段は、前記操作手段での操作で設定される一の運転時間と他の運転時間で、重複する時間が有り、重複して連続した運転時間が、予め設定される連続運転時間を超過すると判断すると、設定された運転時間が予め設定された連続運転時間を超過することを通知する
ことを特徴とする請求項５に記載の設備機器。
【請求項７】
前記制御手段は、前記操作手段での操作で設定される一の運転時間と他の運転時間で、重複する時間が有り、重複して連続した運転時間が、予め設定される連続運転時間を超過すると判断すると、予め設定された連続運転時間を超過する運転時間の設定を制約する
ことを特徴とする請求項５に記載の設備機器。
【請求項８】
前記制御手段は、前記発熱手段の使用目標値が設定されると共に、設定された使用目標値と、前記操作手段での操作による前記発熱手段の使用実績値、及び、前記操作手段で設定される運転時間から予測される予測使用実績値に基づき、消費電力を低減させるような所定の運転を可能とする
ことを特徴とする請求項１に記載の設備機器。
【請求項９】
前記制御手段は、通信回線を介して他の機器と接続され、他の機器での運転に基づき、消費電力を低減させるような所定の運転を可能とする
ことを特徴とする請求項１に記載の設備機器。
【発明の詳細な説明】
【技術分野】
【０００１】
本発明は、住宅に設置され、電気が供給されて運転される設備機器に関する。
【背景技術】
【０００２】
従来から、床暖房装置等の設備機器では、いわゆるタイマによる設定で運転開始時刻と運転終了時刻を設定できる機能が備えられている。このような床暖房装置で、運転開始時刻と運転終了時刻の設定を、複数組行えるようにした技術が提案されている（例えば、特許文献１参照）。
【先行技術文献】
【特許文献】
【０００３】
【特許文献１】特許３６４０９９３号公報
【発明の概要】
【発明が解決しようとする課題】
【０００４】
従来の床暖房装置では、運転時間が重複するような設定が行われた場合、使用者の意図しない運転が行われ、運転時間が増加することで、消費電力が増加する虞がある。
【０００５】
本発明は、このような課題を解決するためになされたもので、消費電力を低減させるような所定の運転を可能とする設備機器を提供することを目的とする。
【課題を解決するための手段】
【０００６】
上述した課題を解決するため、本発明は、発熱手段と、操作を受ける操作手段と、操作手段での操作で、発熱手段の駆動及び駆動の停止を制御する制御手段とを備え、制御手段は、操作手段での操作で実行する運転に対して、消費電力を低減させるような所定の運転を可能とする消費電力低減設定機能を有する設備機器である。
【０００７】
本発明では、操作手段での操作で実行する運転に対して、運転時間の設定等に基づいて、消費電力を低減させるような所定の運転の実行の有無を設定可能である。
【発明の効果】
【０００８】
本発明によれば、操作手段での操作で実行する運転に対して、消費電力が増加するような設定の見直しを促す、あるいは、消費電力が増加するような設定を制約することで、消費電力を低減させるような所定の運転が可能となるので、運転時間の適正化を図ることができる。
【図面の簡単な説明】
【０００９】
【図１】本実施の形態の床暖房装置の一例を示す機能ブロック図である。
【図２】操作部の一例を示す説明図である。
【図３】消費電力低減設定機能の一例を示すフローチャートである。
【図４】第１のタイマでの設定と第２のタイマでの設定によるヒータパネルの駆動と駆動停止の関係を示すタイムチャートである。
【図５】重複した第１のタイマでの設定と第２のタイマでの設定によるヒータパネルの駆動と駆動停止の関係を示すタイムチャートである。
【図６】重複した第１のタイマでの設定と第２のタイマでの設定によるヒータパネルの駆動と駆動停止の関係の他の例を示すタイムチャートである。
【図７】消費電力低減設定機能の一例を示すフローチャートである。
【図８】第１のタイマでの設定と第２のタイマでの設定によるヒータパネルの駆動と駆動停止の関係を示すタイムチャートである。
【図９】他の実施の形態の床暖房装置の一例を示す機能ブロック図である。
【発明を実施するための形態】
【００１０】
以下、図面を参照して、本発明の設備機器としての床暖房装置の実施の形態について説明する。
【００１１】
＜本実施の形態の床暖房装置の構成例＞
図１は、本実施の形態の床暖房装置の一例を示す機能ブロック図、図２は、操作部の一例を示す説明図である。
【００１２】
本実施の形態の床暖房装置１は、床に設置されるヒータパネル２と、ヒータパネル２を制御する操作装置３を備える。床暖房装置１は、操作装置３が分電盤４と接続されて、電気の供給を受ける。
【００１３】
ヒータパネル２は、電気を熱に変換する発熱手段の一例で、例えば、ＰＴＣ（Positive Temperature Coefficient）ヒータで構成される。ここで、本実施の形態では、熱源及び制御に電気が用いられる電気式の床暖房装置１について説明をするが、発熱手段として、温水が供給される構成のヒータパネル２を備えた温水式の床暖房装置であっても良く、電気給湯器等、熱源及び制御に電気が用いられる構成、あるいは、ガス給湯器等、制御に電気が用いられる構成の何れであっても良く、電気の供給が停止されることで、運転が停止される構成であれば良い。
【００１４】
操作装置３は、使用者等の操作を受けると共に、使用者等に情報を視認可能に出力する操作部３１と、操作部３１での操作、及び予め設定されたプログラムに基づいて、ヒータパネル２を制御する制御部３２を備える。
【００１５】
操作部３１は操作手段の一例で、図２に示すように、床暖房装置１の運転及び運転停止を操作する運転ボタン３１ａと、温度等の設定を行う設定ボタン３１ｂを備える。
【００１６】
また、操作部３１は、運転の入切の時刻あるいは時間を設定するタイマの設定である第１の運転時間Ｔ１の設定として、床暖房装置１の第１の運転開始時刻ｔｓ１と第１の運転終了時刻ｔｅ１の設定を行う第１のタイマ設定ボタン３１ｃを備える。更に、第２の運転時間Ｔ２の設定として、第２の運転開始時刻ｔｓ２と第２の運転終了時刻ｔｅ２の設定を行う第２のタイマ設定ボタン３１ｄを備える。
【００１７】
また、操作部３１は、温度設定での温度の入力、及び、第１の運転時間Ｔ１を設定する第１のタイマと、第２の運転時間Ｔ２を設定する第２のタイマでの時刻、時間の入力を行う入力ボタン３１ｅを備える。
【００１８】
更に、操作部３１は、運転中であるか否かの表示、設定された温度の表示、第１のタイマ及び第２のタイマで設定された運転開始時刻、終了時刻等の表示等が行われる表示部３１ｆを備える。
【００１９】
制御部３２は制御手段の一例で、操作部３１での操作に基づき、ヒータパネル２の駆動及び駆動停止を制御して、床暖房装置１の運転を行う。また、制御部３２は、操作部３１での操作で実行しようとする床暖房装置１の運転に対して、消費電力を低減させるような所定の運転を可能とする消費電力低減設定機能を有する。
【００２０】
制御部３２は、消費電力低減設定機能として、操作部３１での操作で設定される第１の運転時間Ｔ１と第２の運転時間Ｔ２で、重複する時間帯があると判断すると、設定された運転時間に重複する時間帯があることを通知して、使用者に設定の見直しを促す。あるいは、重複する時間帯の存在する運転時間の設定を制約して、運転時間及び温度設定等の適正化を図る。
【００２１】
また、制御部３２は、消費電力低減設定機能として、操作部３１での操作で設定される第１の運転時間Ｔ１と第２の運転時間Ｔ２が重複し、かつ、第１の運転時間Ｔ１と第２の運転時間Ｔ２の合計が、予め定められた連続運転時間を超過していると判断すると、設定された運転時間が予め定められた連続運転時間を超過していることを通知して、使用者に設定の見直しを促す。あるいは、予め定められた連続運転時間を超過している運転時間の設定を制約して、運転時間及び温度設定等の適正化を図る。
【００２２】
なお、制御部３２は、操作部３１での操作で設定される第１の運転時間Ｔ１あるいは第２の運転時間Ｔ２が、予め定められた連続運転時間を超過していると判断すると、設定された運転時間が予め定められた連続運転時間を超過していることを通知するようにしても良い。
【００２３】
更に、制御部３２は、消費電力低減設定機能として、操作部３１での操作で設定される第１の運転時間Ｔ１と第２の運転時間Ｔ２の累計が、予め定められた累計運転時間を超過していると判断すると、設定された運転時間が予め定められた累計運転時間を超過していることを通知して、使用者に設定の見直しを促す。あるいは、予め定められた累計運転時間を超過している運転時間の設定を制約して、運転時間及び温度設定等の適正化を図る。
【００２４】
また、制御部３２は、消費電力低減設定機能として、消費電力等の使用目標値が設定され、操作部３１での操作による床暖房装置１の使用実績値、及び、操作部３１での操作で設定される第１の運転時間Ｔ１と第２の運転時間Ｔ２等から予測される予測使用実績値が、使用目標値に近づいたと判断すると、使用実績値が使用目標値に近づいたことを通知して、使用者に設定の見直しを促し、運転時間及び温度設定等の適正化を図る。
【００２５】
＜本実施の形態の床暖房装置の動作例＞
次に、各図を参照して、本実施の形態の床暖房装置の動作の一例について説明する。
【００２６】
図３は、消費電力低減設定機能の一例を示すフローチャート、図４は、第１のタイマでの設定と第２のタイマでの設定によるヒータパネルの駆動と駆動停止の関係を示すタイムチャートで、次に、設定された運転時間が重複する場合の動作例について説明する。
【００２７】
制御部３２は、図３のステップＳＡ１で、操作部３１での操作によって、床暖房装置１の第１の運転開始時刻ｔｓ１と第１の運転終了時刻ｔｅ１が入力され、第１のタイマの設定として、第１の運転時間Ｔ１が設定される。また、第１の運転時間Ｔ１での温度が設定される。
【００２８】
制御部３２は、図３のステップＳＡ２で、操作部３１での操作によって、床暖房装置１の第２の運転開始時刻ｔｓ２と第２の運転終了時刻ｔｅ２が入力され、第２のタイマの設定として、第２の運転時間Ｔ２が設定される。また、第２の運転時間Ｔ２での温度が設定される。
【００２９】
制御部３２は、図３のステップＳＡ３で、操作部３１での操作で設定された第１の運転時間Ｔ１と第２の運転時間Ｔ２で、重複する時間帯があるか判断する。例えば、図４（ａ）に示す第１の運転時間Ｔ１と、図４（ｂ）に示す第２の運転時間Ｔ２において、第２の運転時間Ｔ２の間に第１の運転時間Ｔ１の運転開始時刻Ｔｓ１が含まれている場合、第１の運転時間Ｔ１と第２の運転時間Ｔ２で重複する時間Ｔ３ａが存在する。
【００３０】
また、第１の運転時間Ｔ１の間に第２の運転時間Ｔ２の運転開始時刻Ｔｓ２が含まれている場合、第１の運転時間Ｔ１と第２の運転時間Ｔ２で重複する時間Ｔ３ｂが存在する。
【００３１】
更に、第１の運転時間Ｔ１の間に第２の運転時間Ｔ２の運転開始時刻Ｔｓ２と運転終了時刻Ｔｅ２が含まれている場合、あるいは、第２の運転時間Ｔ２の間に第１の運転時間Ｔ１の運転開始時刻Ｔｓ１と運転終了時刻Ｔｅ１が含まれている場合、第１の運転時間Ｔ１と第２の運転時間Ｔ２で重複する時間Ｔ３ｃが存在する。
【００３２】
制御部３２は、図４に示すように、操作部３１での操作で設定された第１の運転時間Ｔ１と第２の運転時間Ｔ２で、重複する時間帯があると判断すると、図３のステップＳＡ４で、設定された運転時間に重複する時間帯があることを通知する。
【００３３】
制御部３２は、第１の運転時間Ｔ１と第２の運転時間Ｔ２で重複した設定、例えば、第２の運転時間Ｔ２の間に第１の運転時間Ｔ１の運転開始時刻Ｔｓ１が含まれている場合、第１の運転時間Ｔ１の運転開始時刻Ｔｓ１を、操作部３１に設けられた表示部３１ｆで点滅表示する。なお、操作部３１での通知は、ランプ等の点灯、点滅で行うようにしても良い。
【００３４】
これにより、操作部３１での操作で使用者により設定された第１の運転時間Ｔ１と第２の運転時間Ｔ２で、重複した設定を通知することができ、使用者に設定の見直しを促すことができる。
【００３５】
制御部３２は、図３のステップＳＡ３で、操作部３１での操作で設定された第１の運転時間Ｔ１と第２の運転時間Ｔ２で、重複する時間帯がないと判断した場合、及び、重複した時間帯があることを通知した後、図３のステップＳＡ５で、操作部３１の表示部３１ｆでの表示を通常の時刻表示に切り替える。
【００３６】
図５は、重複した第１のタイマでの設定と第２のタイマでの設定によるヒータパネルの駆動と駆動停止の関係を示すタイムチャートである。例えば、第２の運転時間Ｔ２の間に第１の運転時間Ｔ１の運転開始時刻Ｔｓ１が含まれている場合、第２の運転時間Ｔ２の運転開始時刻Ｔｓ２でヒータパネル２の駆動を開始する。
【００３７】
第２の運転時間Ｔ２の運転開始時刻Ｔｓ２でヒータパネル２の駆動を開始した後、第１の運転時間Ｔ１と重複している第２の運転時間Ｔ２の運転終了時刻Ｔｅ２では、ヒータパネル２の駆動を停止しない。そして、第１の運転時間Ｔ１の運転終了時刻Ｔｅ１で、ヒータパネル２の駆動を停止する。
【００３８】
なお、操作部３１での操作で使用者により設定された第１の運転時間Ｔ１と第２の運転時間Ｔ２が重複した設定であることを通知した後、使用者による所定の確認の操作を受けると、重複した時間設定で床暖房装置１を運転するようにしても良い。
【００３９】
図６は、重複した第１のタイマでの設定と第２のタイマでの設定によるヒータパネルの駆動と駆動停止の関係の他の例を示すタイムチャートである。例えば、第２の運転時間Ｔ２の間に第１の運転時間Ｔ１の運転開始時刻Ｔｓ１が含まれる設定が行われた場合、操作部３１でエラーの通知を行うと共に、第１の運転時間Ｔ１の設定を無効とする。
【００４０】
これにより、第２の運転時間Ｔ２の運転開始時刻Ｔｓ２でヒータパネル２の駆動を開始した後、第２の運転時間Ｔ２の運転終了時刻Ｔｅ２で、ヒータパネル２の駆動を停止する。
【００４１】
このように、操作部３１での操作で設定された第１の運転時間Ｔ１と第２の運転時間Ｔ２が重複すると判断すると、使用者に通知を行うと共に、重複する一方の設定を受けられないようにして無効とすることで、重複する時間帯の存在する運転時間の設定を制約して、運転時間及び温度設定等の適正化を図ることができる。
【００４２】
図７は、消費電力低減設定機能の一例を示すフローチャート、図８は、第１のタイマでの設定と第２のタイマでの設定によるヒータパネルの駆動と駆動停止の関係を示すタイムチャートで、次に、設定された運転時間が予め定められた連続運転時間を超過している場合の動作例について説明する。
【００４３】
制御部３２は、図７のステップＳＢ１で、操作部３１での操作によって、床暖房装置１の第１の運転開始時刻ｔｓ１と第１の運転終了時刻ｔｅ１が入力され、第１のタイマの設定として、第１の運転時間Ｔ１が設定される。また、第１の運転時間Ｔ１での温度が設定される。
【００４４】
制御部３２は、図７のステップＳＢ２で、操作部３１での操作によって、床暖房装置１の第２の運転開始時刻ｔｓ２と第２の運転終了時刻ｔｅ２が入力され、第２のタイマの設定として、第２の運転時間Ｔ２が設定される。また、第２の運転時間Ｔ２での温度が設定される。
【００４５】
制御部３２は、図７のステップＳＢ３で、操作部３１での操作で設定された第１の運転時間Ｔ１と第２の運転時間Ｔ２で、重複する時間帯があるか判断する。制御部３２は、操作部３１での操作で設定された第１の運転時間Ｔ１と第２の運転時間Ｔ２で、重複する時間帯があると判断すると、図７のステップＳＢ４で、重複した第１の運転時間Ｔ１と第２の運転時間Ｔ２の合計が、予め定められた所定の連続運転時間を超過しているか判断する。本例では、所定の連続運転時間として、操作部３１で設定された運転時間が２４時間以上であるか否かを判断する。
【００４６】
例えば、図８（ａ）に示す第１の運転時間Ｔ１と、図４（ｂ）に示す第２の運転時間Ｔ２において、第１の運転時間Ｔ１の間に第２の運転時間Ｔ２の運転開始時刻Ｔｓ２が含まれている場合、第１の運転時間Ｔ１と第２の運転時間Ｔ２で重複して連続し、重複した第１の運転時間Ｔ１と第２の運転時間Ｔ２の合計が、予め定められた所定の連続運転時間である２４時間以上に設定されている。
【００４７】
制御部３２は、図８に示すように、操作部３１での操作で設定された第１の運転時間Ｔ１と第２の運転時間Ｔ２が重複して連続し、かつ、重複した第１の運転時間Ｔ１と第２の運転時間Ｔ２の合計が、予め定められた所定の連続運転時間を超過していると判断すると、図７のステップＳＢ５で、設定された運転時間が予め定められた連続運転時間を超過していることの通知を、第１の出力形態で行う。
【００４８】
制御部３２は、第１の運転時間Ｔ１と第２の運転時間Ｔ２が重複して連続し、かつ、重複した第１の運転時間Ｔ１と第２の運転時間Ｔ２の合計が、予め定められた所定の連続運転時間を超過している場合、第１の出力形態として、例えば、第１の運転時間Ｔ１の運転開始時刻Ｔｓ１を、操作部３１に設けられた表示部３１ｆで所定回数点滅表示する。本例では、運転開始時刻Ｔｓ１を５回点滅させる。
【００４９】
これにより、操作部３１での操作で使用者により設定された第１の運転時間Ｔ１と第２の運転時間Ｔ２が連続し、かつ、所定の連続運転時間を超過した設定を通知することができ、使用者に設定の見直しを促すことができる。
【００５０】
制御部３２は、操作部３１での操作で設定された第１の運転時間Ｔ１と第２の運転時間Ｔ２が重複して連続するが、重複した第１の運転時間Ｔ１と第２の運転時間Ｔ２の合計が、予め定められた所定の連続運転時間を超過していないと判断すると、図７のステップＳＢ６で、設定された運転時間に重複する時間帯があることの通知を、第２の出力形態で行う。
【００５１】
制御部３２は、第１の運転時間Ｔ１と第２の運転時間Ｔ２が重複して連続するが、重複した第１の運転時間Ｔ１と第２の運転時間Ｔ２の合計が、予め定められた所定の連続運転時間を超過していない場合、第２の出力形態として、例えば、第１の運転時間Ｔ１の運転開始時刻Ｔｓ１を、操作部３１に設けられた表示部３１ｆで第１の出力形態とは異なる所定回数点滅表示する。本例では、運転開始時刻Ｔｓ１を２回点滅させる。
【００５２】
これにより、操作部３１での操作で使用者により設定された第１の運転時間Ｔ１と第２の運転時間Ｔ２で、重複した設定を通知することができ、使用者に設定の見直しを促すことができる。なお、操作部３１での通知は、ランプ等の点灯、点滅で行うようにしても良い。
【００５３】
制御部３２は、図７のステップＳＢ３で、操作部３１での操作で設定された第１の運転時間Ｔ１と第２の運転時間Ｔ２で、重複する時間帯がないと判断した場合、及び、運転時間が連続運転時間を超過すること、あるいは重複した時間帯があることを通知した後、図７のステップＳＢ７で、操作部３１の表示部３１ｆでの表示を通常の時刻表示に切り替える。
【００５４】
ここで、本例では、第１の運転時間Ｔ１と第２の運転時間Ｔ２が重複して連続し、かつ、重複した第１の運転時間Ｔ１と第２の運転時間Ｔ２の合計が２４時間を超過している場合に通知をするようにしたが、第１の運転時間Ｔ１あるいは第２の運転時間Ｔ２、あるいは、重複していない第１の運転時間Ｔ１と第２の運転時間Ｔ２の累計が、所定の連続運転時間を超過することを通知するようにしても良い。
【００５５】
なお、制御部３２は、操作部３１での操作で設定された運転時間が、予め定められた連続運転時間を超過していることを通知した後、使用者による所定の確認の操作を受けると、連続運転時間を超過した時間設定で床暖房装置１を運転するようにしても良い。また、通知後に使用者による確認操作が行われない場合は、予め定められた連続運転時間で床暖房装置１の運転を停止するようにしても良い。
【００５６】
また、制御部３２は、操作部３１での操作で設定される第１の運転時間Ｔ１あるいは第２の運転時間Ｔ２、または、第１の運転時間Ｔ１と第２の運転時間Ｔ２が重複し、かつ、第１の運転時間Ｔ１と第２の運転時間Ｔ２の合計が、予め定められた連続運転時間を超過していると判断すると、操作部３１でエラーの通知を行うと共に、連続運転時間を超過する設定を無効としても良い。
【００５７】
このように、操作部３１での操作で設定された第１の運転時間Ｔ１あるいは第２の運転時間Ｔ２、または、連続した第１の運転時間Ｔ１と第２の運転時間Ｔ２が所定の連続運転時間を超過すると判断すると、使用者に通知を行うと共に、連続運転時間を超過する設定を受けられないようにして無効とすることで、連続運転時間を超過する運転時間の設定を制約して、運転時間及び温度設定等の適正化を図ることができる。
【００５８】
＜本実施の形態の床暖房装置の他の動作例＞
次に、各図を参照して、本実施の形態の床暖房装置の他の動作の一例について説明する。
【００５９】
制御部３２は、操作部３１での操作等で、消費電力等の使用目標値が設定される。例えば、所定の目標単位として、１か月の使用目標値が設定される。使用目標値としては、１か月の目標運転時間、１日当たりの目標運転時間、１か月の目標電気代や目標電気量、１日当たりの目標電気代や目標電気量が設定される。
【００６０】
制御部３２は、操作部３１での操作による床暖房装置１の使用実績値を、図示しない記憶部に記憶する。例えば、床暖房装置１の運転時間、温度設定、温度設定と運転時間から算出した消費電力量、電気代等が、使用実績値として記憶される。使用実績値は、床暖房装置１の運転に伴い更新される。
【００６１】
制御部３２は、床暖房装置１の運転に伴い更新される使用実績値と、予め設定された使用目標値を、操作部３１の例えば表示部３１ｆに表示する。本例では、使用目標値に対する使用実績値の割合を表示するようにしても良い。
【００６２】
また、制御部３２は、操作部３１での操作で設定されるタイマの設定である第１の運転時間Ｔ１と第２の運転時間Ｔ２等から予測される予測使用実績値を記憶する。例えば、第１の運転時間Ｔ１と第２の運転時間Ｔ２等から予測される床暖房装置１の運転時間、温度設定、温度設定と運転時間から算出した消費電力量、電気代等が、予測使用実績値として記憶される。
【００６３】
制御部３２は、予測使用実績値と、予め設定された使用目標値を、操作部３１の例えば表示部３１ｆに表示する。本例では、使用目標値に対する予測使用実績値の割合を表示するようにしても良い。
【００６４】
制御部３２は、床暖房装置１の運転に伴い更新される使用実績値、あるいは、これから実行される運転に伴う予測使用実績値が、使用目標値に所定の割合で近づいたと判断すると、使用実績値あるいは予測使用実績値が使用目標値に近づいたことを、操作部３１で通知して、使用者に設定の見直しを促す。
【００６５】
例えば、タイマの設定を行っている場合は、運転時間の設定の見直し、温度設定の見直しを促す。また、タイマの設定を行わずに運転を行っている場合は、温度設定等の見直しを促す。これにより、運転時間及び温度設定等の適正化を図ることができる。
【００６６】
なお、１か月毎に使用目標値と使用実績値等の管理を行う場合、１か月毎の使用目標値と使用実績値を算出して電力会社等に送信し、電力会社で使用目標値と使用実績値との差、割合等から所謂ポイント付与を行い、電子マネーやクーポン券等との交換が行えるようなビジネスモデルを提供することもできる。
【００６７】
図９は、他の実施の形態の床暖房装置の一例を示す機能ブロック図である。他の実施の形態の床暖房装置１１は、床に設置されるヒータパネル２と、ヒータパネル２を制御する操作装置３を備える。床暖房装置１は、操作装置３が分電盤４と接続されて、電気の供給を受ける。
【００６８】
操作装置３は、使用者等の操作を受けると共に、使用者等に情報を視認可能に出力する操作部３１と、操作部３１での操作、及び予め設定されたプログラムに基づいて、ヒータパネル２を制御する制御部３２を備える。
【００６９】
床暖房装置１１は、家庭内に設置されたネットワーク１２を介して、他の家電機器等と接続される。例えば、ネットワーク１２には、床暖房装置１１と共に室温の制御に使用される電気機器として、エアコンディショナー（空調装置）１３が接続される。
【００７０】
また、床暖房装置１が設置された部屋における人の有無を検知する検知手段として、照明器具１４あるいは照明器具１４の操作スイッチ１４ａが接続される。更に、床暖房装置１が設置された部屋における人の有無を検知する検知手段として、各種センサ１５が接続される。
【００７１】
床暖房装置１の制御部３２は、ネットワーク１２を介して接続された他の家電機器の運転の有無、床暖房装置１が設置された部屋における人の有無等を検知して、ヒータパネル２の駆動及び駆動停止を制御する。
【００７２】
制御部３２は、エアコンディショナー１３の運転と連動して、ヒータパネル２の駆動と駆動停止を制御する。例えば、エアコンディショナー１３が運転を開始すると、人が居ると判断して、ヒータパネル２の駆動を開始し、エアコンディショナー１３が運転を停止すると、人が居ないと判断して、ヒータパネル２の駆動を停止する。
【００７３】
あるいは、エアコンディショナー１３のタイマの設定と連動して、エアコンディショナー１３が運転を開始すると、ヒータパネル２の駆動を開始し、エアコンディショナー１３が運転を停止すると、ヒータパネル２の駆動を停止する。
【００７４】
なお、エアコンディショナー１３の運転と連動して、エアコンディショナー１３が運転を開始すると、必要以上の温度上昇を抑えるため、ヒータパネル２の温度設定を下げ、エアコンディショナー１３が運転を停止すると、ヒータパネル２の温度設定を、使用者が設定した温度に戻すこととしても良い。
【００７５】
あるいは、エアコンディショナー１３が運転を開始すると、必要以上の温度上昇を抑えるため、室温等を検知して、室温が所定温度以上となると、ヒータパネル２の駆動を停止するようにしても良い。
【００７６】
制御部３２は、照明器具１４あるいは照明器具１４の操作スイッチ１４ａと連動して、ヒータパネル２の駆動と駆動停止を制御する。例えば、照明器具１４が点灯したことを検知すると、人が居ると判断して、ヒータパネル２の駆動を開始し、照明器具１４が消灯したことを検知すると、人が居ないと判断して、ヒータパネル２の駆動を停止する。
【００７７】
あるいは、制御部３２は、照明器具１４あるいは照明器具１４の操作スイッチ１４ａと連動して、照明器具１４が点灯したことを検知すると、所定時間経過後、床暖房装置１のタイマの設定による運転開始時刻に到達する前であっても、ヒータパネル２の駆動を開始する。
【００７８】
また、制御部３２は、照明器具１４が消灯したことを検知すると、所定時間経過後、ヒータパネル２の温度設定を下げる。あるいは、ヒータパネル２の駆動を停止する。
【００７９】
例えば、照明器具１４が５時に点灯した場合に、床暖房装置１のタイマの設定による運転開始時刻が６時に設定されている場合であっても、照明器具１４が点灯してから所定時間、例えば、１０分程度が経過すると、床暖房装置１のタイマの設定による運転開始時刻である６時に到達する前に、ヒータパネル２の駆動を開始する。
【００８０】
制御部３２は、床暖房装置１が設置された部屋における人の有無を検知する各種センサ１５と連動して、ヒータパネル２の駆動と駆動停止を制御する。例えば、赤外線センサ、床に設置した圧力センサ、他の家電機器の操作スイッチの操作により、室内に人が居ると判断すると、ヒータパネル２の駆動を開始し、人が居ないと判断すると、ヒータパネル２の駆動を停止する。
【００８１】
あるいは、制御部３２は、室内に人が居ると判断すると、室温等を検知して、室温が所定温度以下であると、ヒータパネル２を駆動するようにしても良い。また、室内に人が居ないと判断すると、所定時間経過後、ヒータパネル２の温度設定を下げる、あるいは、ヒータパネル２の駆動を停止するようにしても良い。
【００８２】
更に、制御部３２は、ヒータパネル２が複数枚設けられて、室内の異なる床面を暖められる構成では、センサ１５で人が居る箇所と居ない箇所を判断し、人が居る箇所では、ヒータパネル２を駆動し、人が居ない箇所では、ヒータパネル２の温度設定を下げる、あるいは、ヒータパネル２の駆動を停止するようにしても良い。
【００８３】
また、制御部３２は、操作部３１での操作等で、床暖房装置１の消費電力等の使用目標値が設定されると共に、ネットワーク１２に接続されたエアコンディショナー１３、冷蔵庫、浴室換気乾燥暖房器、熱交換型換気装置等の他の家電機器の使用目標値が設定され、床暖房装置１の運転に伴い更新される床暖房装置１の使用実績値と、予め設定された使用目標値、更には、他の家電機器の使用実績値と、予め設定された使用目標値を、操作部３１の例えば表示部３１ｆに表示する。本例では、各機器の使用目標値に対する使用実績値の割合を表示するようにしても良い。
【００８４】
このように、他機器との連動で床暖房装置１におけるヒータパネル２の駆動と駆動停止が制御されることで、床暖房装置１の運転時間及び温度設定等の適正化を図ることができる。
【産業上の利用可能性】
【００８５】
本発明は、消費電力が多い特にヒータを有した設備機器に適用される。
【符号の説明】
【００８６】
１・・・床暖房装置、２・・・ヒータパネル、３・・・操作装置、３１・・・操作部、３２・・・制御部、４・・・分電盤
【図１】
2014167357.tif 000003
【図２】
2014167357.tif 000004
【図３】
2014167357.tif 000005
【図４】
2014167357.tif 000006
【図５】
2014167357.tif 000007
【図６】
2014167357.tif 000008
【図７】
2014167357.tif 000009
【図８】
2014167357.tif 000010
【図９】
2014167357.tif 000011